(57)【特許請求の範囲】
【請求項１】
し渣を除去し、除去後の処理水を下流に流す水路設置用スクリーンであって、
水路長手方向に間隔を空けて設けられ、それぞれ水路の一方の側壁寄りの先端部が他方の側壁寄りの基端部よりも下流に位置するように水路長手方向に対して斜めに配設され、かつ下流側のものほど前記先端部が一方の側壁に近接している複数の鉛直板状のスクリーン板を備え、
本流の一部を、前記先端部間の流入口から入れて前記スクリーン板間の流路において逆流させ、前記基端部間の流出口から下流に流す構成としたことを特徴とする水路設置用スクリーン。
【請求項２】
前記スクリーン板の先端部周りを、前記流入口の間隔が前記スクリーン板の間隔よりも小さくなるように折り曲げ形成したことを特徴とする請求項１に記載の水路設置用スクリーン。
【請求項３】
前記各スクリーン板を連結するリンク機構を備え、
このリンク機構により、水路長手方向に対する各スクリーン板の傾斜角度を連動させて調節可能に構成したことを特徴とする請求項１または請求項２に記載の水路設置用スクリーン。
【発明の詳細な説明】
【技術分野】
【０００１】
本発明は、下水路等に設置され、水中のし渣を除去し、除去後の処理水を下流に流す水路設置用のスクリーンに関するものである。
【背景技術】
【０００２】
水中の夾雑物（し渣）の除去手段として、鋼材等からなるバーを所定間隔で並設した、いわゆるバースクリーンが挙げられ、その一例が特許文献１に記載されている。流れてきたし渣はバーに引っ掛かることで捕捉され、し渣の除去された処理水のみがスクリーンを通過して下流に流れる。バーに引っ掛かったし渣はスクリーンの目開きを塞ぎ、通水性能を低下させるとともにスクリーン前後で損失水頭を生じさせる原因となり、特にし渣には水流により常にスクリーンに押し付けられる力が働くので、一旦目詰まりの生じた箇所が開くことは殆どなく、そのため何らかの方法でバーに引っ掛かったし渣を取り除く必要がある。
【０００３】
バーに引っ掛かったし渣を取り除く従来の方法として、手動で行う例としては作業員が熊手やとび口などを用いてし渣を掻き取る方法が挙げられ、自動で行う例としては特許文献１に記載されているように、モータにより駆動するレーキでし渣を掻き取る方法が挙げられる。
【特許文献１】特開２００６−２５５５８２号公報
【発明の開示】
【発明が解決しようとする課題】
【０００４】
し渣を手動で取り除く方法を採れば、駆動源が不要となるため安価なスクリーンを提供できるが、し渣の流入が大きい水路には不向きであり、掻き取り用の作業員の確保も難しいという問題がある。また、し渣を自動で取り除く方法では、モータ等の駆動源やレーキの駆動機構が必要となるため、高価なものになりやすい。
【０００５】
本発明はこのような問題を解決するために創作されたものであり、し渣の目詰まりが生じにくい構造を採用することで、し渣除去用の要員や駆動源などを最小に節減できる水路設置用のスクリーンを提供することを目的としている。
【課題を解決するための手段】
【０００６】
本発明は、前記課題を解決するため、し渣を除去し、除去後の処理水を下流に流す水路設置用スクリーンであって、水路長手方向に間隔を空けて設けられ、それぞれ水路の一方の側壁寄りの先端部が他方の側壁寄りの基端部よりも下流に位置するように水路長手方向に対して斜めに配設され、かつ下流側のものほど前記先端部が一方の側壁に近接している複数の鉛直板状のスクリーン板を備え、本流の一部を、前記先端部間の流入口から入れて前記スクリーン板間の流路において逆流させ、前記基端部間の流出口から下流に流す構成としたことを特徴とする水路設置用スクリーンとした。
【０００７】
この水路設置用スクリーンによれば、下流側に傾斜したスクリーン板の板面が、し渣の下流への移動をガイドし、し渣はスクリーン板の先端部に押し付けられることなくスムースに下流に流れる。仮にし渣が先端部周りに張り付いて流入口を塞いだ場合、塞がれたスクリーン板間の流路における水流の分力が弱くなり、スクリーン板の先端部同志を結ぶ線に沿う水流の分力の方が相対的にし渣に大きく働くので、し渣は流入口から剥離され、スクリーンの目詰まりが解除される。
【０００８】
また本発明では、前記スクリーン板の先端部周りを、前記流入口の間隔が前記スクリーン板の間隔よりも小さくなるように折り曲げ形成したことを特徴とする水路設置用スクリーンとした。
【０００９】
この水路設置用スクリーンによれば、水流の勢いにより、たとえ流入口の間隔よりも若干形状の大きなし渣が流入口からスクリーン内に入り込んだとしても、スクリーン板の間隔が流入口の間隔よりも大きく設定されているので、スクリーン板間に挟まって流路を閉塞するおそれが低減される。
【００１０】
また本発明では、前記各スクリーン板を連結するリンク機構を備え、このリンク機構により、水路長手方向に対する各スクリーン板の傾斜角度を連動させて調節可能に構成したことを特徴とする水路設置用スクリーンとした。
【００１１】
この水路設置用スクリーンによれば、水量やし渣量の日時変動に合わせてスクリーン間隔を最適値に設定できる。
【発明の効果】
【００１２】
本発明によれば、し渣の目詰まりが生じにくいスクリーンとなり、し渣除去用の要員や駆動源などを最小に節減でき、経済的な水路設置用スクリーンを提供できる。
【発明を実施するための最良の形態】
【００１３】
図１、図２は、それぞれし渣処理システムの平面図、正面図、図４はスクリーン板の先端部周りの拡大図である。図１、図２に示すように、し渣処理システムは、本発明に係る水路設置用スクリーン（以降、単にスクリーンという）１と、し渣破砕機１１とを有した構成からなる。
【００１４】
図１に示すように、スクリーン１は、水路Ｓの長手方向に間隔を空けて設けられる複数の鉛直板状のスクリーン板２を備える。水路Ｓは例えば下水路等である。スクリーン板２は例えば鋼板等から構成される。各スクリーン板２は、水路Ｓの一方の側壁Ｗ１寄りに位置する先端部２Ａが他方の側壁Ｗ２寄りに位置する基端部２Ｂよりも下流に位置するように水路Ｓの長手方向に対して斜めに配設される。また、各スクリーン板２は互いに平行となるように配設される。
【００１５】
さらに各スクリーン板２は、下流側のものほど先端部２Ａが側壁Ｗ１に近接するように配設されている。最も上流側に位置するスクリーン板２の基端部２Ｂは側壁Ｗ２に取り付けられ、最も下流側に位置するスクリーン板２の先端部２Ａは、し渣破砕機１１の外郭部に連結している。し渣破砕機１１と側壁Ｗ１との間は閉塞板３により閉塞されている。
【００１６】
以上のスクリーン１の形成により、本流の幅寸法（スクリーン板２の先端部２Ａと側壁Ｗ１との間隔）はし渣破砕機１１に向かうにしたがって狭くなる。つまり、本流の流路断面積が下流に向けて小さくなっていくので、本流の一部は先端部２Ａ間の流入口４に入り込み、スクリーン板２間の流路５を通って基端部２Ｂ間の流出口６から流出して下流に流れる。勿論、本流の一部をスクリーンを介して下流に逃がす理由は、し渣破砕機１１における水の通過領域が狭いことにより起きるオーバーフローを防止するためである。
【００１７】
図４に示すように、流入口４の間隔（スクリーン間隔）Ｌ１は、通常、除去対象となるし渣の大きさ以下に設定される。
【００１８】
図１、図２に示したし渣破砕機１１としては公知のものが適用され、例えば特開２００４−４９９４４号公報に記載のものが挙げられる。また、し渣破砕機１１に代えて、し渣を水路Ｓの外部に掻き出す公知の除塵機を設置してもよい。
【００１９】
本発明の作用を説明すると、側壁Ｗ１とスクリーン１との間に形成される本流の流路断面積は下流に向けて小さくなっているので、本流の一部は、し渣が除去された処理水として各流入口４に入り込み、スクリーン板２間の流路５を逆流するかたちで流れた後、流出口２Ｂから下流に流れる。ここでいう「逆流」とは、上流側に向けての方向成分を含んだ流れをいうものであり、つまり、水路Ｓを流れてきた水が流入口４に入って９０度以上の角度の方向転換を行ってスクリーン板２間を流れることをいう。
【００２０】
し渣の除去作用について説明すると、図４に示すように、スクリーン板２の先端部２Ａ周りに達した、間隔Ｌ１より大きい形状のし渣は、隣り合う先端部２Ａ同志を結ぶ線に平行な方向成分の水流の分力Ｆ１を受けて、速やかに下流のし渣破砕機１１（図１）に流れる。スクリーン板２の板面は、その先端部２Ａが下流に位置するように傾斜しているため、この先端部２Ａ周りの板面がし渣の下流への移動をガイドすることになり、し渣はスムースに下流に流れる。先端部２Ａは下流側に対向しているので、水流によりし渣が先端部２Ａに押し付けられることはなく、し渣の引っ掛かりも生じにくい。
【００２１】
また、仮に大きなし渣が先端部２Ａ周りに張り付いて流入口４を塞いだとしても、その場合には、塞がれた流路５に沿う方向成分の水流の分力Ｆ２が弱くなるので、し渣には前記分力Ｆ１が相対的に大きく働くことになる。これにより、し渣は剥離されてし渣破砕機１１へ流れ、スクリーン１の目詰まりが解除される。
【００２２】
本発明によれば、スクリーン１とし渣破砕機１１とを組み合わせて使用した場合、無動力にて通水性能が増大されることになり、し渣処理システム全体の処理水量が大幅に増加する。自動除塵機を組み合わせて使用した場合にも同様の効果が得られ、特に水路設置用スクリーンにより水路幅が縮小されることで、幅寸法の小さい小型除塵機での対応が可能となる。
【００２３】
次に、スクリーン板２の形状に関する変形例を図３および図５に示す。図３は、変形例のスクリーン板２を用いた場合のし渣処理システムの平面図、図５は変形例のスクリーン板の先端部周りの拡大図である。
【００２４】
本変形例は、スクリーン板２の先端部２Ａ周りを、流入口４の間隔Ｌ１がスクリーン板２の間隔Ｌ２よりも小さくなるように折り曲げ形成して、折り曲げ部２Ｃを設けたことを特徴とするものである。本変形例でも、流入口４の間隔Ｌ１は、除去対象となるし渣の大きさ以下に設定される。
【００２５】
本変形例によれば、図５に示すように、スクリーン板２の先端部２Ａ周りに達した、間隔Ｌ１より大きい形状のし渣は、隣り合う先端部２Ａ同志を結ぶ線に平行な方向成分の水流の分力Ｆ１を受けて、速やかに下流のし渣破砕機１１（図３）に流れる。折り曲げ部２Ｃがし渣の下流への移動をガイドすることになり、し渣は先端部２Ａに押し付けられることなくスムースに下流に流れる。
【００２６】
そして、水流の勢いにより、たとえ流入口４の間隔Ｌ１よりも若干形状の大きなし渣が流入口４からスクリーン１内に入り込んだとしても、スクリーン板２の間隔Ｌ２が流入口４の間隔Ｌ１よりも大きく設定されているので、スクリーン板２間に挟まって流路５を閉塞するおそれがなく、スムースに流出口６から流れ出る。
【００２７】
勿論、本変形例でも、仮に大きなし渣が先端部２Ａ周りに張り付いて流入口４を塞いだとしても、その場合には、塞がれた流路５に沿う方向成分の水流の分力Ｆ２が弱くなるので、し渣には前記分力Ｆ１が相対的に大きく働くことになる。これにより、し渣は剥離されてし渣破砕機１１へ流れ、スクリーン１の目詰まりが解除される。
【００２８】
以上、本発明について好適な例を説明した。本発明では、流入口４の間隔（スクリーン間隔）Ｌ１を調節可能とした構造も適用でき、例えば、図６に示すように、各スクリーン板２を連結するリンク機構１５を備え、このリンク機構１５により、水路長手方向に対する各スクリーン板２の傾斜角度を連動させて調節可能に構成する。
【００２９】
リンク機構１５としては、スクリーン板２を基端部２Ｂにおける鉛直軸回りに回動可能としたうえで、各基端部２Ｂを一直線上に配置し、この一直線と平行となるようにリンクバー１６を各スクリーン２に掛け渡す。リンクバー１６と各スクリーン２とは連結軸１７により相対回転可能に連結される。以上により、図示しない駆動源でリンクバー１６を平行移動させることで、仮想線で示すように、各スクリーン板２が連動して基端部２Ｂ回りに回動し、流入口４の間隔（スクリーン間隔）Ｌ１の調節がなされる。当該調節機能を備えるスクリーンとすれば、水量やし渣量の日時変動に合わせてスクリーン間隔を最適値に設定できる。
【００３０】
また、本発明は下水路の他、工業用廃水路などにも適用可能である。
【図面の簡単な説明】
【００３１】
【図１】本発明を適用したし渣処理システムの平面図である。
【図２】本発明を適用したし渣処理システムの正面図である。
【図３】変形例にかかるし渣処理システムの平面図である。
【図４】図１に示したスクリーン板の先端部周りの拡大図である。
【図５】図３に示したスクリーン板の先端部周りの拡大図である。
【図６】リンク機構を備えたスクリーン板を示す平面図である。
【符号の説明】
【００３２】
１      水路設置用スクリーン
２      スクリーン板
２Ａ    先端部
２Ｂ    基端部
２Ｃ    折り曲げ部
４      流入口
５      流路
６      流出口
Ｌ１    流入口の間隔
Ｌ２    スクリーン板の間隔
Ｓ      水路
【図１】
0004966835.tif 000002
【図２】
0004966835.tif 000003
【図３】
0004966835.tif 000004
【図４】
0004966835.tif 000005
【図５】
0004966835.tif 000006
【図６】
0004966835.tif 000007